(57)【要約】      （修正有）【課題】商品の多様化、高級化に効果的で、しかもいかなる形状の箸にも施工可能であると共に、製造コストにおいても利点のある、簡易で効果的な意匠付与がなされた箸を提供する。【解決手段】頭部に、装飾薄板Ｄが貼着された傾斜面を有する装飾箸１であって、該傾斜面が、相対する側縁と該側縁に連続する上端縁と、該上端縁と対向する下端縁とを備えている装飾箸１であり、装飾薄板Ｄは接着剤を介して貼着され、少なくとも該装飾薄板Ｄを含む頭部全体に塗料が塗布されている装飾箸１。【選択図】図１
0003170416.tif 000002
【実用新案登録請求の範囲】
【請求項１】
頭部に、装飾薄板が貼着された傾斜面を有する装飾箸であって、該傾斜面が、相対する側縁と該側縁に連続する上端縁と、該上端縁と対向する下端縁とを備えていることを特徴とする装飾箸。           
【請求項２】
装飾薄板は、接着剤を介して貼着され、少なくとも該装飾薄板を含む頭部全体に塗料が塗布されていることを特徴とする請求項１記載の装飾箸。
【請求項３】
装飾薄板は貝で形成されていることを特徴とする請求項１記載の装飾箸。
【請求項４】
貝がアワビ貝であることを特徴とする請求項３記載の装飾箸。
【請求項５】
側縁が直線状であることを特徴とする請求項１記載の装飾箸。
【請求項６】
側縁が円弧状であることを特徴とする請求項１記載の装飾箸。
【請求項７】
上端縁且つ下端縁が円弧状に形成されていることを特徴とする請求項５又は６記載の装飾箸。
【請求項８】
上端縁且つ下端縁が直線状に形成されていることを特徴とする請求項５又は６記載の装飾箸。
【請求項９】
上端縁が直線状に且つ下端縁が円弧状に形成されていることを特徴とする請求項５又は６記載の装飾箸。
【請求項１０】
上端縁が円弧状に且つ下端縁が直線状に形成されていることを特徴とする請求項５又は６記載の装飾箸。
【考案の詳細な説明】
【技術分野】
【０００１】
本考案は、装飾を施した箸に関し、詳しくは、箸の頭部近傍に傾斜部を擁し、その傾斜面に装飾が施されている装飾箸に関する。
【背景技術】
【０００２】
食事用の箸は、木、竹、プラスチック等を素材として、これを箸形状に形成して、これに塗装、模様付けを施し意匠効果を得て商品価値を高めている。
塗装や模様付けは、合成塗料や漆を塗布したり、フィルムを使用するなどの多くの手段が採用されている。
【０００３】
そして、箸の分野においても、消費者の生活向上により、デザインの多様化、高級品化が望まれている。
このような状況下において、製造販売を行う者の立場としては、多様化、高級品化を図りつつ、製造効率を上げてコストを下げなければならない課題に直面している。
【０００４】
そこで、例えば、特許文献１に見られるように、箸の頂部に装飾体を取り付けたものや、特許文献２に見られるように、頭部に設けられた装飾体が取り替え可能になっている多様化手段、更には、特許文献３に見られるように糸や布などで模様付けをし、これを熱収縮性チューブ状フィルムで被覆固定する多様化、高級化手段等が提案されている。
【０００５】
ところが、特許文献１や、特許文献２に見られる手段においては、装飾部を取り付けるために頂部に穴を開けるなどの加工が必要となり、容易とも言い難い点がある。
また、特許文献３に見られる手段においては、高級感を得る手段としての効果は、充分認められるが、この加工手段も簡単とは言えない。
【０００６】
また、特許文献４に見られるように、箸の頭部を斜めにカットして、そこに図柄を描く手段が提案されている。
更に、特許文献５に見られるように、頭部を斜めにカットし、この傾斜部に装飾を施し、更に凸レンズ状の樹脂カバーを貼りつける手段等も提案されている。
【０００７】
これらの手段において、特許文献４については、消費者が自ら傾斜部に絵柄を描くもので、生産者の手段とは意を異にする。
特許文献５については、独特の効果は認められるが、製造面で容易とは言えない面がある。
【先行技術文献】
【特許文献】
【０００８】
【特許文献１】特開２００３−１６４３６４号公報
【特許文献２】特開２０００−２０１７９２号公報
【特許文献３】特開２００７−８２５６６号公報
【特許文献４】特開２００４-３３７６２０号公報
【特許文献５】特開２００８−２６４０６９号公報
【考案の概要】
【考案が解決しようとする課題】
【０００９】
上記示したように従来の食事用の箸には、商品の多様化、高級化を図るための多くの提案がなされてきた。
これらの提案に共通するところは、多様化、高級化には一定の効果は得られているものの、製造コストの面で未だ問題が残るところである。
つまり、必要とする部材の数が多い、これらを駆使して製造する工程が多い等、製造コストの面で問題が多いところである。  
【００１０】
本考案は、以上の事情を背景になされたものである。
すなわち、本考案の目的は、商品の多様化、高級化に効果的で、しかもいかなる形状の箸にも施工可能であると共に、製造コストにおいても利点のある、簡易で効果的な意匠付与がなされた箸の提供を目的とする。
【課題を解決するための手段】
【００１１】
上記課題を解決するために、鋭意、研究した結果、頭部に傾斜部を有し、該傾斜部に、装飾用の装飾薄板が貼着された箸を提供するにいたったものである。
【００１２】
即ち、本考案は、（１）、頭部３に、装飾薄板Ｄが貼着された傾斜面Ｋを有する装飾箸１であって、該傾斜面Ｋが、相対する側縁Ｃ２１、Ｃ２２と該側縁に連続する上端縁Ｃ１と、該上端縁と対向する下端縁Ｃ３とを備えている装飾箸１に存する。
【００１３】
即ち、本考案は、（２）、装飾薄板Ｄは接着剤を介して貼着され、少なくとも該装飾薄板Ｄを含む頭部３全体に塗料が塗布されている上記（１）記載の装飾箸１に存する。
【００１４】
即ち、本考案は、（３）、装飾薄板Ｄは貝で形成されている上記（１）記載の装飾箸１に存する。
【００１５】
即ち、本考案は、（４）、貝がアワビ貝である上記（３）記載の装飾箸１に存する。
【００１６】
即ち、本考案は、（５）、側縁Ｃ２１、Ｃ２２が直線状である上記（１）記載の装飾箸１に存する。
【００１７】
即ち、本考案は、（６）、側縁Ｃ２１、Ｃ２２が円弧状である上記（１）記載の装飾箸１に存する。
【００１８】
即ち、本考案は、（７）、上端縁Ｃ１且つ下端縁Ｃ３が円弧状に形成されている上記（５）、（６）記載の装飾箸１に存する。
【００１９】
即ち、本考案は、（８）、上端縁Ｃ１且つ下端縁Ｃ３が直線状に形成されている上記（５）、（６）記載の装飾箸１に存する。
【００２０】
即ち、本考案は、（９）、上端縁Ｃ１が直線状に且つ下端縁Ｃ３が円弧状に形成されている上記（５）、（６）記載の装飾箸１に存する。
【００２１】
即ち、本考案は、（１０）、上端縁Ｃ１が円弧状に且つ下端縁Ｃ３が直線状に形成されている上記（５）、（６）記載の装飾箸１に存する。
【００２２】
なお、本考案の目的に沿ったものであれば上記（１）〜（１０）を適宜組み合わせた構成も採用可能である。
【考案の効果】
【００２３】
本考案の装飾箸は、傾斜面を有しているので、頭部の外周形状に見合った、相対する側縁と該側縁に連続する上端縁と、該上端縁と対向する下端縁で構成される外周を有する傾斜面となり、多様で変化のある意匠効果を得ることができる。
【００２４】
特に装飾箸を正面から見た場合、中心軸方向から入射した光は反射して眼に入り易く明るさが増す特有の効果を奏するものとなる。
また、箸の頭部を斜めにカットし、そこに装飾薄板を貼着するだけでよいので、箸の外形を大きく変化させることなく、新たな意匠効果を付与できる利点がある。
また対象となる箸の素材、形状、塗装、模様付けに関わらず、容易に、箸の多様化、高級化を図ることができる。
【００２５】
本考案の装飾箸が、装飾薄板が接着剤を介して貼着されると共に、少なくとも該装飾薄板を含む頭部全体に塗料が塗布されている場合には、傾斜面の意匠付与が容易で、しかも頭部全体が塗料により保護され、使用の際に指にかかるなどの障害もなく、意匠効果の高い、耐久性のある装飾箸を得ることができる。
【００２６】
本考案の装飾箸が、装飾薄板が貝で形成されている場合には、自然美が付与され、特にアワビ貝を用いる場合には、変化に富んだ光沢が得られ、１点物の高級感のある装飾箸が得られる利点がある。
特に装飾箸を正面から見た場合、中心軸方向から入射した光は反射して貝殻独特の光輝が視認できる。
【００２７】
またその傾斜面の側縁、上端縁、下端縁のそれぞれが、箸の頭部の外周形状に従い、直線状、円弧状の形状が組み合わせられて傾斜面外周が構成されるので、多様な形状の傾斜面を形成することができる。
【図面の簡単な説明】
【００２８】
【図１】図１は、本考案の装飾箸を示す全体図である。
【図２】図２は、箸の頂部を通過してカットし、傾斜面を形成する状態を示した箸の頭部の拡大図である。
【図３】図３は、それぞれ箸の頭部近傍の断面が円形状のものと、４角形状のものを示した説明図である。
【図４】図４は、それぞれ頂部の形状が、略扁平状のもの（ａ）、外側に適宜膨出した形状のもの（ｂ）、半円球状のもの（ｃ）を示した説明図である。
【図５（Ａ）】図５（Ａ）は、傾斜面の形成を説明した図であり、それぞれ、（ａ）は、断面が円形状で頂部が扁平状のものをカットしたもの、また（ｂ）は、断面が円形状で頂部が膨出形状のものをカットしたもの、（ｃ）は、頂部が半円球状のものをカットしたものを示す。
【図５（Ｂ）】図５（Ｂ）の（ａ），（ｂ），（ｃ）は、図５（Ａ）の（ａ），（ｂ），（ｃ）で示した傾斜面の正面図である。
【図６（Ａ）】図６（Ａ）は、傾斜面の形成を説明した図であり、それぞれ、（ａ）は、断面が四角形状で頂部が扁平状のものをカットしたもの、また（ｂ）は、頂部が膨出形状のものをカットしたもの、（ｃ）は、頂部が半円球状のものをカットしたものを示す。
【図６（Ｂ）】図６（Ｂ）の（ａ），（ｂ），（ｃ）は、それぞれ図６（Ａ）の（ａ），（ｂ），（ｃ）で示した傾斜面Ｋの正面図である。
【図７（Ａ）】図７（Ａ）の（ａ），（ｂ）は、箸の断面が４角形状のものと円形状のものを、頂部２をカットせず、頭部３近傍の柱状部分を斜めにカットして傾斜部Ｋを形成した説明図である。
【図７（Ｂ）】図７（Ｂ）の（ａ），（ｂ）は、それぞれ図７（Ａ）の（ａ），（ｂ）で示した傾斜面の正面図である。
【図８】図８（ａ）は、傾斜面Ｋの形に見合った装飾薄板Ｄを形成し、これを貼着ける工程を示す説明図であり、図８（ｂ）は、傾斜面Ｋの形に見合った装飾薄板Ｄを貼着けた後の図である。
【考案を実施するための形態】
【００２９】
以下、本考案を実施するための形態を図面を用いて説明する。
【００３０】
本実施の形態における装飾箸１の傾斜面Ｋの形状は、箸の頭部近傍（柱状部分）の断面形状と、頂部（箸の最上端）に形成された頂部形状、そしてカット位置、並びに斜め方向にカットするカット方向により定まる。
これらの組み合わせに応じたタイプの実施の形態を説明していく。
【００３１】
（第１の実施の形態）
本実施の形態では、図１の全体図、詳しくは図２の拡大図に示すように、箸の頂部２を通過してカットし、傾斜面Ｋを形成する。
この傾斜面Ｋは装飾箸１の中心軸と一定の交叉角度で交叉している。
頂部２をカットした際の頂部カット線が傾斜面Ｋの上端縁Ｃ１となり、続いて箸の側面をカットした線が相対する側縁Ｃ２１、Ｃ２２となる。
そして、箸の頭部３近傍の柱状部分の下方をカットした線が下端縁Ｃ３となる。
このように箸を斜め方向にカットして形成された傾斜面Ｋは、相対する側縁Ｃ２１、Ｃ２２と、その側縁Ｃ２１、Ｃ２２に連続する上端縁Ｃ１と下端縁Ｃ３とを擁する。
【００３２】
箸の頭部３近傍の断面は、図３の説明図に示すように円形状のもの（ａ）と、４角形状のもの（ｃ）に大別できる。
前者の円形状のものには楕円形状のもの（ｂ）も含まれ、後者の４角形状のものには、４角形状のそれぞれの辺が外側に適宜、膨出した形状のもの（ｄ）がある。
また、長方形状のものも含む。
このような断面を有する箸に頂部２が形成されている。
図４の説明図に示すように頂部２の形状は、略扁平状のもの（ａ）、外側に適宜膨出した形状のもの（ｂ）、半円球状のもの（ｃ）がある。
【００３３】
上記の頭部３近傍の断面が、円形状のもの、４角形状のものと、頂部２が、扁平状のもの、膨出形状のもの、半円球状のものとの組み合わせで、箸形状を示す。
つまり、断面が円形状のもの（ａ）と頂部２が、扁平状のもの（ａ）、膨出形状のもの（ｂ）、半円球状のもの（ｃ）の組み合わせ、そして、断面が４角形状のもの（ｃ）と頂部２が、扁平状のもの（ａ）、膨出形状のもの（ｂ）、半円球状のもの（ｃ）の組み合わせとなる。
【００３４】
この組み合わせにおいて、頂部２を通過してカットし、傾斜面Ｋを形成した。
図５（Ａ）の（ａ），（ｂ），（ｃ）の説明図に、断面が円形状のものと、頂部２が、扁平状のもの（ａ）、膨出形状のもの（ｂ）、半円球状のもの（ｃ）との組み合わせを示す。
この結果、それぞれの傾斜面Ｋは、図５（Ｂ）の（ａ）に示す正面図に見られるように、傾斜面Ｋは、側縁Ｃ２１、Ｃ２２は緩やかな円弧状、上端縁が直線状、下端縁が円弧状となる。
【００３５】
また、図５（Ｂ）の（ｂ）に示す正面図においては、傾斜面Ｋは、側縁Ｃ２１、Ｃ２２、上端縁は緩やかな円弧状、下端縁が円弧状となる。
そして、図５（Ｂ）の（ｃ）に示す正面図においては、傾斜面Ｋは、側縁Ｃ２１、Ｃ２２は緩やかな円弧状、上端縁、下端縁が円弧状となる。
【００３６】
次に、図６（Ａ）の（ａ），（ｂ），（ｃ）の説明図に、断面が４角形状のものと、頂部２が、扁平状のもの、膨出形状のもの、半円球状のものとの組み合わせを示す。
この結果、それぞれの傾斜面Ｋは、図６（Ｂ）の（ａ）に示す正面図においては、傾斜面Ｋは、側縁Ｃ２１、Ｃ２２、上端縁Ｃ１、下端縁Ｃ３のいずれもが直線状となる。
【００３７】
図６（Ｂ）の（ｂ）の正面図においては、傾斜面Ｋは、側縁Ｃ２１、Ｃ２２、下端縁Ｃ２が直線状で、上端縁Ｃ１は緩やかな円弧状となり、図６（Ｂ）の（ｃ）の正面図においては、傾斜面Ｋは、側縁Ｃ２１、Ｃ２２、下端縁Ｃ３が直線状で、上端縁Ｃ１は円弧状となっている。
【００３８】
（第２の実施の形態）
本実施の形態では、箸の頂部２はカットせず、頭部３近傍の柱状部分を斜めにカットして傾斜部Ｋを形成する。
図７（Ａ）の（ａ），（ｂ）の説明図に、断面が４角形状のもの（ａ）と円形状のもの（ｂ）を示す。
この結果、それぞれの傾斜面Ｋは、図７（Ｂ）の（ａ）の正面図においては、側縁Ｃ２１、Ｃ２２、上端縁Ｃ１、下端縁Ｃ２のいずれもが直線状となる。
また、図７（Ｂ）の（ｂ）の正面図においては、傾斜面Ｋは、側縁Ｃ２１、Ｃ２２は緩やかな円弧状、上端縁、下端縁が円弧状となる。
【００３９】
上記の第１の実施の形態、並びに第２の実施の形態で示した傾斜面Ｋに、装飾薄板Ｄを貼着する。
図８（ａ）の説明図に示すように、傾斜面Ｋの形に見合った装飾薄板Ｄを形成し、これを貼着ける。
その結果、図８（ｂ）の貼着した後の図に示すように、傾斜面Ｋにあたかも直接、模様を描いたような装飾箸１を得ることができる。
装飾薄板Ｄは、その素材としては、プラスチック板等のように合成樹脂板を用いることも可能であるが、アワビ貝のような天然薄板を用いることによって、螺鈿細工のように伝統的な雰囲気のある高級感を得ることとなる。
そして、装飾薄板Ｄは接着剤を介して貼着され、少なくとも該装飾薄板Ｄを含む頭部３全体に塗料が塗布されている。
【００４０】
以上、説明した本考案の装飾箸は、その頭部に傾斜面を有していて、該傾斜部に装飾薄板を貼着することで意匠効果を高めることができる。
対象となる箸の素材、形状、塗装、模様付けに関わらず、容易に、箸の多様化、高級化を図ることができることとなる。
【００４１】
また、箸の頭部を斜めにカットし、そこに装飾薄板を貼着する手段は、箸の外形を大きく変化させることなく、新たな意匠効果を付与できる利点がある。
特に装飾箸を正面から見た場合、中心軸方向から入射した光は反射して眼に入り易く明るさが増す特有の効果がある。
【００４２】
装飾薄板が貝で形成されている場合には、自然美が付与され、特にアワビ貝を用いる場合には、変化に富んだ光沢が得られる。特に装飾箸を正面から見た場合、中心軸方向から入射した光は反射して貝殻独特の光輝が視認できる。
【００４３】
以上、本考案を説明してきたが、その本質に変更のない限り、これらの実施の形態のみに限定されるものではなく多様な変形例が可能である。              
例えば、装飾箸１の形状は自由であって、その断面が３角形状であったり、多角形状であっても当然良い。
また、カットについて、例えば、断面が４角形の箸を断面の対角線方向にカットし、傾斜面Ｋを菱形とすることなども可能である。
更に、装飾薄板Ｄの素材についても、合成樹脂、貝等の天然素材の他、金属薄板等も使用可能である。
更に、貼着ける装飾薄板Ｄは、必ずしも傾斜面Ｋと、同形、同寸法である必要はなく、傾斜面Ｋの範囲内に納まるものであれば、当然使用可能である。
【産業上の利用可能性】
【００４４】
本考案の装飾箸は、傾斜面を有しているので、頭部の外周形状に見合った、相対する側縁部と該側縁部に連続する上端縁と、該上端縁と対向する下端縁で構成される外周を有する傾斜面となり、多様で変化のある意匠効果を得ることができる。
そのためこの原理を発揮できる限り、箸以外の棒状体の頭部に対しても装飾性を付与させることができる。
【符号の説明】
【００４５】
１・・・装飾箸
２・・・頂部
３・・・頭部
Ｋ・・・傾斜面
Ｃ１・・・上端縁
Ｃ２１、Ｃ２２・・・側縁
Ｃ３・・・下端縁
Ｄ・・・装飾薄板
【図１】
0003170416.tif 000003
【図２】
0003170416.tif 000004
【図３】
0003170416.tif 000005
【図４】
0003170416.tif 000006
【図５（Ａ）】
0003170416.tif 000007
【図５（Ｂ）】
0003170416.tif 000008
【図６（Ａ）】
0003170416.tif 000009
【図６（Ｂ）】
0003170416.tif 000010
【図７（Ａ）】
0003170416.tif 000011
【図７（Ｂ）】
0003170416.tif 000012
【図８】
0003170416.tif 000013